(57)【要約】【課題】  本発明は主に長さが相違している短い第１のカードと長い第２のカードとが挿入可能である複合カード用コネクタ装置において、第２のカードが、第１のカード用のコンタクトと干渉しないようにすることの信頼性を向上させることを目的とする。【解決手段】  コンタクト保護部材９０は、第１のメモリーカード用のコンタクト６０のコンタクト部６１に対応して開口９３を有し、隣り合う開口９３との間に桟９４を有し、桟９４の下面にカム９５を有する形状である。第１のメモリーカード用のコンタクト６０は、側方に突き出した突起片６２を有する形状である。第１のメモリーカード１０が挿入された場合には、開口９３からコンタクト部６１が突き出た状態とされる。第２のメモリーカード２０が挿入された場合には、コンタクト保護部材９０がＸ１方向に移動されて、カム９５が突起片６２を押してコンタクト部６１を開口９３内に沈み込ませ且つ桟９４がコンタクト部６１の上側を覆う。【選択図】  図１５
2006092846.tif 000002
【特許請求の範囲】
【請求項１】
挿入口が単一であり、短い長さを有する第１のカードと長い長さを有する第２のカードとが挿入可能であるハウジングと、
該ハウジングに、上記第２のカードに対応して配置してある第２のカード用のコンタクトと、
該ハウジングに、上記第１カードに対応して配置してあり、上記第２のカード用のコンタクトよりも上記挿入口側に位置する第１のカード用のコンタクトと、
上記第２のカードが挿入された場合に、該挿入された第２のカードによって動作され、上記第２のカードが上記第１のカード用のコンタクトのコンタクト部から離れた位置を移動するようにするコンタクト保護部材とを有し、
上記第１のカードは上記第１のカード用のコンタクトのコンタクト部と接触して装着され、上記第２のカードは上記第１のカード用のコンタクトのコンタクト部を越えて挿入されて上記第２のカード用のコンタクトと接触して装着される構成である複合カード用コネクタ装置において、
上記コンタクト保護部材は、上記第２のカードが上記第１のカード用のコンタクトのコンタクト部を越える部分において、上記第２のカードをコンタクト保護部材自体でもって支持する構成であることを特徴とする複合カード用コネクタ装置。
【請求項２】
挿入口が単一であり、短い長さを有する第１のカードと長い長さを有する第２のカードとが挿入可能であるハウジングと、
該ハウジングに、上記第２のカードに対応して配置してある第２のカード用のコンタクトと、
該ハウジングに、上記第１カードに対応して配置してあり、上記第２のカード用のコンタクトよりも上記挿入口側に位置する第１のカード用のコンタクトと、
上記第２のカードが挿入された場合に、該挿入された第２のカードによって動作され、上記第２のカードが上記第１のカード用のコンタクトのコンタクト部から離れた位置を移動するようにするコンタクト保護部材とを有し、
上記第１のカードは上記第１のカード用のコンタクトのコンタクト部と接触して装着され、上記第２のカードは上記第１のカード用のコンタクトのコンタクト部を越えて挿入されて上記第２のカード用のコンタクトと接触して装着される構成である複合カード用コネクタ装置において、
上記コンタクト保護部材は、上記第２のカードが上記第１のカード用のコンタクトのコンタクト部を越える部分において、上記第２のカードをコンタクト保護部材自体でもって支持すると共に、該コンタクト保護部材自体でもって上記第１のカード用のコンタクトのコンタクト部を覆う構成であることを特徴とする複合カード用コネクタ装置。
【請求項３】
請求項１に記載の複合カード用コネクタ装置において、
上記コンタクト保護部材は、上記第１のカード用のコンタクトのコンタクト部に対応してスリットを有する形状であり、
上記第２のカードが挿入された場合に、上記コンタクト保護部材を傾斜した状態にロックするロック機構を更に有し、
上記第１のカードが挿入された場合には、上記スリットから上記第１のカード用のコンタクトのコンタクト部が突き出た状態とされ、上記第２のカードが挿入された場合には、上記ロック機構によって上記コンタクト保護部材が傾斜した状態にロックされて上記第１のカード用のコンタクトのコンタクト部よりも高い位置に位置するようにしたことを特徴とする複合カード用コネクタ装置。
【請求項４】
請求項２に記載の複合カード用コネクタ装置において、
上記コンタクト保護部材は、上記第１のカード用のコンタクトのコンタクト部に対応して開口を有し、隣り合う開口との間に桟を有し、該桟の下面にカムを有する形状であり、
上記第１のカード用のコンタクトは、側方に突き出した突起片を有する形状であり、
上記第１のカードが挿入された場合には、上記開口から上記第１のカード用のコンタクトのコンタクト部が突き出た状態とされ、上記第２のカードが挿入された場合には、上記コンタクト保護部材が上記複合カード用コネクタ装置の幅方向に移動されて、上記カムが上記突起片を押して上記コンタクト部を上記開口内に沈み込ませ且つ上記桟が上記コンタクト部の上側を覆うようにしたことを特徴とする複合カード用コネクタ装置。
【請求項５】
請求項２に記載の複合カード用コネクタ装置において、
上記コンタクト保護部材は、両側の柱部と、該柱部間を連結している梁部とよいなる門形状を有し、起立した状態で且つ押されて倒れることが可能である状態で上記ハウジングに支持してある構成であり、
上記第１のカードが挿入された場合には、上記第１のカードは上記梁部の下側に入り、上記第２のカードが挿入された場合には、上記コンタクト保護部材が押し倒され、上記梁部が上記第１のカード用のコンタクトのコンタクト部を覆うようにしたことを特徴とする複合カード用コネクタ装置。
【発明の詳細な説明】
【技術分野】
【０００１】
本発明は複合メモリーカード用コネクタ装置に係り、特に、携帯端末等に備えられて使用され、且つ、サイズの異なるメモリーカードに適用可能である複合メモリーカード用コネクタ装置に関する。
【０００２】
近年、携帯電話等の携帯端末、及びデジタルカメラ等のデータの保存のためにメモリーカードが使用されている。メモリーカードはメモリーカード用コネクタ装置に挿入され装着されて使用される。
【０００３】
現在、このメモリーカードとしては幾つかのものが商品化されて市販されており、各メモリーカードは形状は似ているけれども、外形寸法は相違している。
【０００４】
携帯端末及びデジタルカメラのユーザの立場からは、どのメモリーカードも使用可能であることが望ましい。メモリーカードの種類毎にメモリーカード用コネクタ装置を複数備えると、何種類かのメモリーカードに対応可能となる。しかし、携帯端末及びデジタルカメラは小型であることが重要であるため、メモリーカード用コネクタ装置を複数備えることは困難である。そこで、二種類のメモリーカードに対応可能であるようにした複合メモリーカード用コネクタ装置が開発されており、一部は実用化されている。
【背景技術】
【０００５】
図１（Ａ）、（Ｂ）は従来の１例の複合メモリーカード用コネクタ装置３０を示す。Ｙ１−Ｙ２は長手方向、Ｘ１−Ｘ２は幅方向、Ｚ１−Ｚ２は高さ方向である。Ｙ１がメモリーカードを挿入する方向である。この複合メモリーカード用コネクタ装置３０は、図３（Ａ）、（Ｂ）及び図４（Ａ）、（Ｂ）、（Ｃ）に示す第１のメモリーカード１０、及び、図３（Ｃ）、（Ｄ）及び図４（Ｄ）、（Ｅ）、（Ｆ）に示す第２のメモリーカード２０の何れにも対応が可能である構成である。
【０００６】
第１のメモリーカード１０は、幅Ｗ１，長さＬ１，厚さＴ１であり、第２のメモリーカード２０は、幅Ｗ２，長さＬ２，厚さＴ２である。外形の寸法を比較すると、一見して、長さＬ２は長さＬ１の約２倍であり、長さが相違し、幅同士及び厚さ同士は略同じである。厳密に見ると、幅Ｗ２は幅Ｗ１より少し大きく、厚さＴ２は厚さＴ１より少し大きい。Ｌ２＞Ｌ１、Ｗ２＞Ｗ１、Ｔ２＞Ｔ１の関係にある。第１、第２のメモリーカード１０、２０は、外形が相違し、主に長さが相違している。
【０００７】
１１，２１は挿入方向の先端側である。１２，２２は挿入方向の後端側である。１３、２３はコンタクトである。第１のメモリーカード１０の下面は先端側１１が一段低い段部１４となっており、この低い段部１４にコンタクト１３が並んでいる。同じく、第２のメモリーカード２０の下面は先端側２１に一段低い段部２４が櫛歯状に形成してあり、この低い段部２４にコンタクト２３が並んでいる。
【０００８】
先端側に注目してみる。第１のメモリーカード１０は先端側の幅Ｗ１Ａが幅Ｗ１より狭く、左側に段差の肩部１５を有する。第２のメモリーカード２０は左側に面取り部２５を有する。
【０００９】
複合メモリーカード用コネクタ装置３０には、ハウジング３１に、第１のメモリーカード用コンタクト３２、第２のメモリーカード用コンタクト３３、及び板状の回動部材３４が設けてある構成である。３５はメモリーカード挿入口である。第１、第２のメモリーカード用コンタクト３２、３３は、第１、第２のメモリーカード１０、２０の長さに対応して配置してあり、第１のメモリーカード用コンタクト３２のコンタクト部３２ａは中間に、第２のメモリーカード用コンタクト３３のコンタクト部３３ａは奥側に位置している。第１のメモリーカード用コンタクト３２は、メモリーカード挿入口３３側からＹ１方向にＺ１方向に向かって斜めに延在している。板状の回動部材３４は、メモリーカード挿入口３５の付近を回動支点にして支持されており、斜めの第１のメモリーカード用コンタクト３１上に載っている。
【００１０】
厚さがＴ１である第１のメモリーカード１０がメモリーカード挿入口３５を通して最終位置まで挿入されて装着されると、図２（Ａ），（Ｂ）に示すようになり、コンタクト１３がコンタクト部３２ａに接触される。
【００１１】
厚さがＴ２である第２のメモリーカード２０がメモリーカード挿入口３５を通して最終位置まで挿入されて装着されると、図２（Ｃ），（Ｄ）に示すように、コンタクト２３がコンタクト部３３ａに接触される。
【００１２】
コンタクト２３とコンタクト部３２ａとは次のように動作する。第２のメモリーカード２０の厚さＴ２は第１のメモリーカード１０の厚さＴ１よりも厚いため、第２のメモリーカード２０自体が板状の回動部材３４をＺ２方向に押し、第１のメモリーカード用コンタクト３２をＺ１方向に撓ませ、コンタクト部３２ａをＺ２方向に変位させる。よって、コンタクト２３は、コンタクト部３２ａの上方をコンタクト部３２ａと接触することなくＹ１方向に通過する。第２のメモリーカード２０を抜くときにも、第１のメモリーカード用コンタクト３２はＺ１方向に撓まされた状態に維持され、コンタクト２３は、コンタクト部３２ａの上方をコンタクト部３２ａと接触することなくＹ２方向に通過する。
【００１３】
複合メモリーカード用コネクタ装置３０は、第１、第２のメモリーカード１０、２０の厚さの差異を、回動部材３４がメモリーカードの厚さの方向に変位されて識別する構成である。
【特許文献１】特開２００３−２８８９６２号公報
【発明の開示】
【発明が解決しようとする課題】
【００１４】
板状の回動部材３４はコンタクト部３２ａまでは到ってはいない。よって、第２のメモリーカード２０を挿入して装着するとき、コンタクト部３２ａの上方は露出した状態にある。また、コンタクト部３２ａの部分では、第２のメモリーカード２０は回動部材３４によって案内されてはいない。
【００１５】
このため、状況によっては第２のメモリーカード２０の一部がコンタクト部３２ａに当ることが起きる虞れがあり、第２のメモリーカード２０の一部がコンタクト部３２ａに当ると、場合によっては、コンタクト部３２ａを曲げてしまうことになる。曲がったコンタクト部３２ａが存在すると、第２のメモリーカード２０を挿入した装着する途中で、コンタクト２３がコンタクト部３２ａと接触することが起きる虞れがあり、コンタクト２３がコンタクト部３２ａと接触すると、異常な信号の授受が第２のメモリーカード２０とコンタクト２３との間でなされてしまう。
【００１６】
また、第２のメモリーカード２０が装着された状態では、第１のメモリーカード用コンタクト３２は図２（Ｄ）に示すように水平の状態まで強制的に曲げられており、複合メモリーカード用コネクタ装置３０を長く使用している間には第１のメモリーカード用コンタクト３２が水平の方向に永久変形してコンタクト部３２ａの位置がＺ２方向に変位し、これによって、第１のメモリーカード１０を装着したときに、コンタクト１３とコンタクト部３２ａとの接触が不完全になる虞れもある。
【００１７】
そこで、本発明は、上記の点に鑑みなされた複合メモリーカード用コネクタ装置を提供することを目的とする。
【課題を解決するための手段】
【００１８】
そこで、上記課題を解決するため、本発明は、挿入口が単一であり、短い長さを有する第１のカードと長い長さを有する第２のカードとが挿入可能であるハウジングと、
該ハウジングに、上記第２のカードに対応して配置してある第２のカード用のコンタクトと、
該ハウジングに、上記第１カードに対応して配置してあり、上記第２のカード用のコンタクトよりも上記挿入口側に位置する第１のカード用のコンタクトと、
上記第２のカードが挿入された場合に、該挿入された第２のカードによって動作され、上記第２のカードが上記第１のカード用のコンタクトのコンタクト部から離れた位置を移動するようにするコンタクト保護部材とを有し、
上記第１のカードは上記第１のカード用のコンタクトのコンタクト部と接触して装着され、上記第２のカードは上記第１のカード用のコンタクトのコンタクト部を越えて挿入されて上記第２のカード用のコンタクトと接触して装着される構成である複合カード用コネクタ装置において、
上記コンタクト保護部材は、上記第２のカードが上記第１のカード用のコンタクトのコンタクト部を越える部分において、上記第２のカードをコンタクト保護部材自体でもって支持する構成であることを特徴とする。
【発明の効果】
【００１９】
第２のカードが上記第１のカード用のコンタクトのコンタクト部を越える部分において、第２のカードをコンタクト保護部材自体でもって支持する構成であるため、第２のカードの挿入時及び抜去時において、第２のカードが第１のカード用のコンタクトのコンタクト部と干渉しないようにすることの信頼度を向上させることが出来る。
【発明を実施するための最良の形態】
【００２０】
次に本発明の実施の形態について説明する。
【実施例１】
【００２１】
図５及び図６（Ａ），（Ｂ）は本発明の実施例１になる複合メモリーカード用コネクタ装置５０をカバーを省略して示す。Ｙ１−Ｙ２は長手方向、Ｘ１−Ｘ２は幅方向、Ｚ１−Ｚ２は高さ方向である。Ｙ１がメモリーカードを挿入する方向である。図６（Ｂ）は図６（Ａ）中、Ｂ−Ｂ線に沿う断面図であり、図６（Ｃ）は図６（Ｂ）中、円で囲む部分を拡大して示す図であり、図６（Ｄ）は図６（Ａ）中、円で囲む部分を拡大して示す図である。図５及び図６（Ａ），（Ｂ）は上カバーを取外した状態で示す。複合メモリーカード用コネクタ装置５０には、第１のメモリーカード１０を挿入して装着することも可能であり、第２のメモリーカード２０を挿入して装着することも可能である。
【００２２】
複合メモリーカード用コネクタ装置５０は、合成樹脂製であるハウジング５１に、第１のメモリーカード用コンタクト６０及び第２のメモリーカード用コンタクト７０が並んで固定してあり、且つ、ハウジング５１内に、スライド部材８０、コンタクト保護部材９０、及びカード識別部材１００等が組み込んである構成である。
【００２３】
ハウジング５１は、第１のメモリーカード１０及び第２のメモリーカード２０が収容可能である大きさであり、Ｙ２側に、第１のメモリーカード１０及び第２のメモリーカード２０が挿入可能である大きさのメモリーカード挿入口５２を有する。メモリーカード挿入口５２は単一であり、第１、第２のメモリーカード１０，２０に共通である。
【００２４】
第１のメモリーカード用コンタクト６０は、図７（Ａ）乃至（Ｃ）に示す形状であり、ハウジング５１のうちＹ２側の部分に固定されて、Ｙ１方向に延在して並んでおり、コンタクト部６１はハウジング５１のＹ１−Ｙ２方向上略中間に位置している。各第１のメモリーカード用コンタクト６０は、コンタクト部６１より少し根元側の部位に、Ｘ２方向に且つＺ２方向に約４５度傾斜して突き出している突起片６２を有する。ハウジング５１の底板５３のうち、コンタクト部６１及び突起片６２に対応する部分はスリット状の開口５４となっている。
【００２５】
第２のメモリーカード用コンタクト７０は、ハウジング５１のうちＹ１側の部分に固定されて、Ｙ２方向に延在して並んでおり、コンタクト部７１はハウジング５１のＹ１−Ｙ２方向上Ｙ１側に位置している。ハウジング５１の底板５２のうち、コンタクト部７１に対応する部分は開口５５となっている。
【００２６】
スライド部材８０はハウジング５１のうちＸ２側にＹ１−Ｙ２方向にスライド可能に設けてあり、ばね８５によってＹ２方向に付勢されている。スライド部材８０は、Ｙ２端側に傾斜面部８１を有し、Ｙ１端側にフック部８２を有する。また、スライド部材８０には、ロックし、且つ、ロックされている状態で押し込まれるとロックが解除される機構が設けてある。
【００２７】
コンタクト保護部材９０は、図８（Ａ）乃至（Ｄ）に示す形状であり、板状であり、上面９１と下面９２とを有し、一つのコンタクト部６１に略対応する大きさのＹ１−Ｙ２方向に細長い開口９３がコンタクト部６１の並びに対応して形成してある。９４は桟であり、隣り合う開口９３の間に存在している。開口９３と桟９４とは、ピッチＰで並んでいる。下面９２には、桟９４の部分に、Ｘ１方向に変位するにつれてＺ１方向に傾斜して開口９３のＸ２側の縁に到っているカム９５が形成してある。また、Ｘ１寄り側に、連結用開口９６が形成してある。
【００２８】
メモリーカード識別部材１００は、図９（Ａ）乃至（Ｄ）は示す形状であり、Ｘ２側の側面１０１に、厚さＴ１に対応するガイド溝１０２が形成してあり、下面のうちＹ１側とＸ２側とのコーナ部に連結用突起１０３が形成してあり、且つ、側面１０１のうちＹ２側に傾斜面１０４が形成してある。
【００２９】
図５及び図６に示すように、コンタクト保護部材９０は、各開口９３を対応するコンタクト部６１に嵌合させて位置を決められてＹ１−Ｙ２方向に延在してハウジング５１の底板５２上に載っている。カード識別部材１００は、連結用突起１０３をコンタクト保護部材９０の連結用開口９６と嵌合されて、ハウジング５１の凹部５６に収まっている。
【００３０】
図５及び図６（Ｃ）に示すように、コンタクト部６１は開口９３よりコンタクト保護部材９０の上方に突き出している。また、図６（Ｃ）に示すように、カム９５は突起片６２と略接触している。カード識別部材１００のＸ２側の部分がメモリーカード挿入口５２に突き出している。
【００３１】
次に、複合メモリーカード用コネクタ装置５０に第１のメモリーカード１０或いは第２のメモリーカード２０を挿入して装着するときの動作について説明する。
【００３２】
複合メモリーカード用コネクタ装置５０は、第１、第２のメモリーカード１０、２０の厚さの差異を、カード識別部材１００がメモリーカードの幅の方向に変位されて識別する構成である。
【００３３】
先ず、第１のメモリーカード１０を挿入して装着するときの動作について説明する。
【００３４】
図１０（Ａ）及び図１１は第１のメモリーカード１０が装着された状態を示す。図１０（Ｂ）は第１のメモリーカード１０を省略して示す。
【００３５】
第１のメモリーカード１０は、Ｘ１側をカード識別部材１００のガイド溝１０２に嵌合されて、カード識別部材１００をＸ１方向に移動させないで所定の位置まで挿入され、コンタクト１３がコンタクト部６１に接触される。
【００３６】
また、第１のメモリーカード１０は、Ｘ２側の肩部１５でもってスライド部材８０をばね８５を撓ませながらＹ１方向に押しつつ挿入される。
【００３７】
次に、第２のメモリーカード２０を挿入して装着するときの動作について説明する。
【００３８】
図１２（Ａ）は第２のメモリーカード２０を挿入した初期の状態を示す。図１２（Ｂ）及び図１３（Ａ）乃至（Ｃ）は第２のメモリーカード２０を挿入した初期の状態を第２のメモリーカード２０を省略して示す。
【００３９】
図１４（Ａ）及び図１６は第２のメモリーカード２０を最終位置まで挿入して装着した状態を示す。図１４（Ｂ）及び図１５（Ａ）乃至（Ｄ）は第２のメモリーカード２０を装着した状態を第２のメモリーカード２０を省略して示す。
【００４０】
第２のメモリーカード２０は、ガイド溝１０２の幅よりも厚いため、ガイド溝１０２には嵌合しないで、傾斜面１０４を押してカード識別部材１００をＸ１方向に移動させつつメモリーカード挿入口５２内に挿入される。この段階では、コンタクト保護部材９０は移動せず、カード識別部材１００だけが移動される。
【００４１】
第２のメモリーカード２０が更に挿入されると、第２のメモリーカード２０のＸ２側の面取り部２５がスライド部材８０のＹ２側の端の傾斜面部８１によって案内されて、第２のメモリーカード２０がＸ１方向に移動され、カード識別部材１００が第２のメモリーカード２０によって押されてＸ１方向に更に移動される。
【００４２】
このときには、カード識別部材１００と共にコンタクト保護部材９０がＸ１方向に前記のピッチＰに相当する距離だけ移動される。このとき、カム９５が突起片６２に当りこれを押して、図１５（Ｃ）に示すように、突起片６２をＺ２方向に変位させる。同じく図１５（Ｃ）に示すように、カム９５は第１のメモリーカード用コンタクト６０の上面に乗り上がった状態となる。これにより、第１のメモリーカード用コンタクト６０がＺ２方向に押し下げられた状態となる。コンタクト部６１はＺ２方向に変位されて開口９３内に沈み込み、図１５（Ｄ）及び図１６に示すように、桟９４によって上側を覆われて保護された状態となる。
【００４３】
第２のメモリーカード２０はスライド部材８０とカード識別部材１００との間をＹ１方向に挿入され、先端側２１でスライド部材８０のフック部８２を押して、ばね８５を撓ませつつ、図１４及び図１６に示す最終位置まで挿入され、コンタクト２３がコンタクト部７１に接触される。第２のメモリーカード２０はスライド部材８０とカード識別部材１００との間に位置してＹ１方向に挿入されている間は、コンタクト保護部材９０が図１５（Ｃ）に示す状態に維持される。
【００４４】
よって、第２のメモリーカード２０のコンタクト２３がコンタクト部６１の位置に到達する前に、コンタクト部６１が開口９３内に沈み込んで桟９４がコンタクト部６１を上側を覆ってコンタクト部６１を保護した状態となり、以後はこの状態に維持される。
【００４５】
このため、第２のメモリーカード２０を挿入するときには、第２のメモリーカード２０及びコンタクト２３はコンタクト部６１を覆っている桟９４によって支持されてこの上側を通過し、第２のメモリーカード２０を抜くときも、第２のメモリーカード２０及びコンタクト２３はコンタクト部６１を覆っている桟９４によって支持されてこの上側を通過する。よって、第２のメモリーカード２０がコンタクト部６１と干渉しないようにすることについて従来に比較して高い信頼性を有する。これによって、第２のメモリーカード２０がコンタクト部６１に引っ掛ってコンタクト部６１が曲げられるようなことは起きない。
【００４６】
また、第２のメモリーカード２０がある程度挿入された以降は、カム９５が突起片６２を押しているのではなくて、カム９５が第１のメモリーカード用コンタクト６０の上面に乗り上がった状態となるため、第１のメモリーカード用コンタクト６０は押し下げられた状態に安定に維持される。
【００４７】
なお、第１、第２のメモリーカード１０、２０を抜去する際には、装着されている第１、第２のメモリーカード１０、２０を少し押し込む操作を行う。この操作によってスライド部材８０のロックが解除され、ばね８５の力でスライド部材８０がＹ２方向に戻され、第１、第２のメモリーカード１０、２０はＹ２方向に押し戻される。
【実施例２】
【００４８】
図１７、図１８及び図１９は本発明の実施例２になる複合メモリーカード用コネクタ装置５０Ａを示す。複合メモリーカード用コネクタ装置５０Ａは、合成樹脂製であるハウジング５１Ａに、第１のメモリーカード用コンタクト６０Ａ及び第２のメモリーカード用コンタクト７０Ａが並んで固定してあり、且つ、ハウジング５１Ａ内に、メモリーカードガイド機構２００が第１のメモリーカード用コンタクト６０Ａのコンタクト部６１Ａの部分にハウジング５１ＡをＸ方向に横切って組み込んである構成である。また、後述するように、メモリーカードガイド機構２００は、コンタクト保護部材としての下側ガイド機構２１０と、上側ガイド機構２２０とを有し、第１のメモリーカード１０を挿入したときには、下側ガイド機構２１０がアンロック状態となり、上側ガイド機構２２０がロック状態となり、第２のメモリーカード２０を挿入したときには、上記とは逆に、下側ガイド機構２１０がロック状態となり、上側ガイド機構２２０がアンロック状態となり、第２のメモリーカード２０がロック状態の下側ガイド機構２１０を乗り越えるようにしてある。
【００４９】
ハウジング５１Ａは、Ｙ２側に単一のメモリーカード挿入口５２Ａを有し、且つ、Ｘ１側とＸ２側との内側に、第１、第２のメモリーカード１０、２０を案内するガイド溝５８Ａ，５９Ａを有する。また、ハウジング５１Ａは、Ｘ１側とＸ２側とに、Ｕ字形状のスリット２４０、２４１によって相対的に形成された略四角柱形状の柱部２４２，２４３を有する。
【００５０】
図２０に拡大して示すように、スリット２４０、２４１は、スリット部２４０Ｘ１、２４０Ｙ１、２４１Ｘ２、２４１Ｙ１、２４１Ｙ２よりなる。柱部２４２，２４３には、Ｚ１方向の浅い溝よりなる軸受部２４４、２４５とＹ２１方向の深い溝よりなる軸受部２４６、２４７とが形成してある。
【００５１】
再度、図２０に示すように、メモリーカードガイド機構２００は、下側ガイド機構２１０と、上側ガイド機構２２０と、メモリーカード識別部材２３０とを有する構成である。
【００５２】
下側ガイド機構２１０は、Ｙ２側の細長い第１のガイド板２１１とＹ１側の細長い第２のガイド板２１５とが連結軸部２１８で折り曲げ可能に連結してあり、山折りされた状態、即ち、Ｚ１側に凸である凸状態と、平らである平坦状態との二つの態様となり、通常はバネ部材２１９によってＺ１側に凸状態となっている。第１のガイド板２１１の両端の軸２１２はハウジング５１Ａの軸受部２４４に回動可能に支持してあり、第２のガイド板２１５の両端の軸２１６は上記の軸受部２４６にＹ方向に移動可能に支持してあり、下側ガイド機構２１０はＺ２側の位置に設けてある。第１のガイド板２１１には、コンタクト部６１Ａに対応してスリット２１３が形成してあり、各スリット２１３がコンタクト部６１Ａに嵌合してある。第２のガイド板２１５の縁２１５ａには、三つの切欠２１７−１〜２１７−３が形成してある。
【００５３】
上側ガイド機構２２０は、Ｙ２側の細長い第１のガイド板２２１とＹ１側の細長い第２のガイド板２２５とが連結軸部２２８で折り曲げ可能に連結してあり、谷折りされた状態、即ち、Ｚ２側に凸である凸状態と、平らである平坦状態との二つの態様となり、通常はバネ部材２２９によってＺ２側に凸状態となっている。第１のガイド板２２１の両端の軸２２２は上記の軸受部２４５に回動可能に支持してあり、第２のガイド板２２５の両端の軸２２６は上記の軸受部２４５にＹ方向に移動可能に支持してあり、上側ガイド機構２２０はＺ１側の位置に設けてある。
【００５４】
メモリーカード識別部材２３０は、略直方体の箱形の骨組み状であり、Ｘ１側及びＸ２側に側板部２３１Ｘ１、２３１Ｘ２を有し、側板部２３１Ｘ１、２３１Ｘ２の四つのコーナ部のうち三つのコーナ部の間を繋ぐ梁部２３２，２３３，２３４とを有する。Ｙ１側の面には梁部２３２、２３３を有し、Ｚ１側の面には梁部２３２、２３４を有する。梁部２３２、２３３の間はメモリーカードが通るための開口２３５であり、梁部２３２、２３４の間は開口２３６である。２３７はキー部であり、Ｘ２側の側板部２３１の内面側に形成してある。梁部２３２には、ロック部２３８−１〜２３８−３が切欠２２７−１〜２２７−３に対応して形成してある。梁部２３３には、ロック部２３９−１〜２３９−３が切欠２１７−１〜２１７−３に対応して形成してある。
【００５５】
このカード識別部材２３０は、側板部２３１Ｘ１、２３１Ｘ２を夫々スリット部２４０Ｘ１、２４１Ｘ２に嵌合させ、梁部２３３の両端側をスリット部２４０Ｘ１、２４１Ｘ２に嵌合させ、キー部２３７をスリット部２４１Ｙ２に嵌合させて、上側ガイド機構２２０及び柱部２４２，２４３を覆うように組み込んである。ばね部材２５０がスリット部２４０Ｘ１と側板部２３１Ｘ１との間に設けてあり、カード識別部材２３０はＸ１方向に移動している。開口２３６は上側ガイド機構２２０と下側ガイド機構２１０との間に位置している。キー部２３７は、第１のメモリーカード１０によっては押されず、第２のメモリーカード２０によっては押し退けられてＸ２方向に寄せられるようになっている。
【００５６】
最初の状態において、複合メモリーカード用コネクタ装置５０Ａは図９に示す状態にある。図９（Ｂ）に拡大して示すように、下側ガイド機構２１０はＺ１側に凸の状態にあり、第１のガイド板２１１の上面は、コンタクト部６１Ａよりも上方に位置している。上側ガイド機構２２０はＺ２側に凸の状態にある。下側ガイド機構２１０と上側ガイド機構２２０との間の隙間Ａは第１、第２のメモリーカード１０、２０の厚さＴ１、Ｔ２よりも狭くなっている。また、下側ガイド機構２１０は、図１９（Ｄ）及び図２３（Ｂ）に示すように、ロック部２３９−１〜２３９−３が切欠２１７−１〜２１７−３に対向する位置にあり、第２のガイド板２１５はＹ１方向への移動が可能である状態にあり、アンロックの状態にある。一方、上側ガイド機構２２０は、図１９（Ｃ）及び図２３（Ａ）に示すように、ロック部２３８−１〜２３８−３が切欠２２７−１〜２２７−３からずれて縁２２５ａに対向する位置にあり、第２のガイド板２２５はＹ１方向への移動を制限された状態にあり、ロックの状態にある。図１９（Ｂ）に示すように、下側ガイド機構２１０のＹ２側の細長い第１のガイド板２１１は、コンタクト部６１ＡよりもＺ１側に位置しており、Ｙ２側の傾斜した部分２１１ａとこれに続く部分２１１ｂとを有する。部分２１１ｂは凸の平らな頂上部を形成する。第１のガイド板２１１は、その上面が、コンタクト部６１Ａの全体に亘ってコンタクト部６１ＡよりもＺ１側に位置するような形状となっている。
【００５７】
次に、第１のメモリーカード１０を挿入して装着するときの動作について説明する。
【００５８】
図２１（Ａ）乃至（Ｄ）及び図２２（Ａ）乃至（Ｄ）は第１のメモリーカード１０が装着された状態を示す。図２３（Ａ）乃至（Ｄ）は第１のメモリーカード１０が挿入されて装着されるときの下側ガイド機構２１０及び上側ガイド機構２２０の動作状態の変化を示す。図２３（Ａ）、（Ｂ）は夫々上側及び下側ガイド機構２２０、２１０の第１のメモリーカード挿入前の状態、図２３（Ｃ）、（Ｄ）は夫々上側及び下側ガイド機構２２０、２１０の第１のメモリーカード１０が装着された後の状態を示す。
【００５９】
第１のメモリーカード１０は、メモリーカード挿入口５２Ａより、ガイド溝５８Ａ，５９Ａに案内されつつ挿入される。第１のメモリーカード１０の先端１１は、Ｚ２側に凸の状態にあってロック状態にある上側ガイド機構２２０に当ってＺ２方向に寄せられる。第１のメモリーカード１０は、図２２（Ａ）に示すように、先端１１が、ハウジング５１Ａの段部５７Ａに突き当たる状態まで挿入される。
【００６０】
また、第１のメモリーカード１０が上側ガイド機構２２０によって案内されてＺ２方向に寄せられることによって、図２２（Ｂ），（Ｃ），図２３（Ｄ）に示すように、下側ガイド機構２１０が潰されて平らにされ、コンタクト部６１Ａがスリット２１３を通って相対的に第１のガイド板２１１の上方に突き出し、コンタクト１３がコンタクト部６１に接触される。
【００６１】
次に、第２のメモリーカード２０を挿入して装着するときの動作について説明する。
【００６２】
図２４（Ａ）乃至（Ｄ）及び図２５（Ａ）乃至（Ｄ）は第２のメモリーカード２０が装着された状態を示す。図２６（Ａ）乃至（Ｆ）は第１のメモリーカード２０が挿入されて装着されるときの下側ガイド機構２１０及び上側ガイド機構２２０の動作状態の変化を示す。図２６（Ａ）、（Ｂ）は夫々上側及び下側ガイド機構２２０、２１０の第２のメモリーカード挿入前の状態、図２６（Ｃ）、（Ｄ）は夫々上側及び下側ガイド機構２２０、２１０の第２のメモリーカード２０を途中まで挿入したときの状態、図２６（Ｅ）、（Ｆ）は夫々上側及び下側ガイド機構２２０、２１０の第２のメモリーカード２０が装着された後の状態を示す。
【００６３】
第２のメモリーカード２０がメモリーカード挿入口５２Ａより、ガイド溝５８Ａ，５９Ａに案内されつつ挿入されると、先端２１が下側ガイド機構２１０及び上側ガイド機構２２０の位置に到達する直前に、先端のＸ２側の面取り部２５で、キー部２３７をＸ２方向に押し退ける。これによって、カード識別部材２３０がばね２５０を撓ませつつＸ２方向に移動され、図２６（Ｄ）に示すように、ロック部２３９−１〜２３９−３が縁２１５ａに対向するようになって下側ガイド機構２１０はロック状態に切り換わり、一方、図２６（Ｃ）に示すように、ロック部２３８−１〜２３８−３が切欠２２７−１〜２２７−３に対向するようになって上側ガイド機構２２０はアンロック状態に切り換わる。
【００６４】
よって、第２のメモリーカード２０の先端２１は下側ガイド機構２１０の第１のガイド板２１１に沿って登って、上側ガイド機構２２０を図２６（Ｅ）に示すように平らにしつつ、下側ガイド機構２１０を乗り越える。第２のメモリーカード２０は、凸状の下側ガイド機構２１０によって支えられつつ、開口２３５を通り、図２５（Ａ）に示す最終位置まで挿入され、コンタクト２３がコンタクト部７１Ａに接触される。
【００６５】
第２のメモリーカード２０を引き抜くときも、第２のメモリーカード２０は、凸状の下側ガイド機構２１０によって支えられつつ引き抜かれる。
【００６６】
よって、第２のメモリーカード２０を装着及び抜去するときに、コンタクト部６１Ａの場所についてみると、下側ガイド機構２１０自体によって支持され、これによって、第２のメモリーカード２０がコンタクト部６１Ａと干渉しないようにすることについて従来に比較して高い信頼性を有する。
【００６７】
なお、誤って、第１のメモリーカード１０を表裏を反転させた状態で挿入した場合、前後逆の向きで挿入した場合、及び、第２のメモリーカード２０を表裏を反転させた状態で挿入した場合、前後逆の向きで挿入した場合は、全て、先端がキー部２３７に当って挿入途中でそれ以上の挿入を制限され、誤挿入が防止される。
【実施例３】
【００６８】
図２７は本発明の実施例３になる複合メモリーカード用コネクタ装置５０Ｂをカバーを省略して示す。複合メモリーカード用コネクタ装置５０Ｂは、合成樹脂製であるハウジング５１Ｂに、第１のメモリーカード用コンタクト６０Ｂ及び第２のメモリーカード用コンタクト７０Ｂが並んで固定してあり、且つ、ハウジング５１Ｂ内に、合成樹脂製であるコンタクト保護部材３００が第１のメモリーカード用コンタクト６０Ｂのコンタクト部６１Ｂのより少しＹ２側寄りの位置にハウジング５１ＡをＸ方向に横切って組み込んである構成である。図２８に拡大して示すように、コンタクト保護部材３００は、門形状をなし、両側の柱部３０１，３０２と、柱部３０１，３０２間を連結している梁部３０３とを有し、柱部３０１，３０２の基部の軸部３０３，３０４をハウジング５１Ｂに回動可能に支持されており、Ｙ１方向に回動して倒れることが可能である。通常は、コンタクト保護部材３００は、ばね部材３１０によって垂直に起立している状態とされている。Ｘ２側の柱部３０１の内側には、第１のメモリーカード１０用の位置決め部３０５が形成してある。梁部３０３のＹ２側の面には第２のメモリーカード２０用のガイド用スリット３０６が形成してある。コンタクト保護部材３００は、図３０に示すように、Ｙ１方向に回動されて倒されたときに、梁部３０３がコンタクト部６１Ｂの上側を覆うように配置してある。
【００６９】
次に、第１のメモリーカード１０を挿入して装着するときの動作について説明する。
【００７０】
図２９は第１のメモリーカード１０が装着された状態を示す。第１のメモリーカード１０は、単一のカード挿入口５２Ｂからハウジング５１Ｂのガイド溝５８Ｂ、５９Ｂに沿って挿入され、コンタクト保護部材３００の下側に入って、肩部１５が位置決め部３０５に当る位置まで挿入される。第１のメモリーカード１０は梁部３０３によってＺ１方向への変位を制限された状態にあり、コンタクト１３がコンタクト部６１に接触される。
【００７１】
次に、第２のメモリーカード２０を挿入して装着するときの動作について説明する。
【００７２】
図３０は第２のメモリーカード２０が装着された状態を示す。第２のメモリーカード２０が、カード挿入口５２Ｂからハウジング５１Ａのガイド溝５８Ｂ、５９Ｂに沿って挿入されると、その先端が梁部３０３に当り、梁部３０３を押して、コンタクト保護部材３００をＹ１方向に押し倒す。梁部３０３がコンタクト部６１Ｂの上側を覆う。第２のメモリーカード２０は倒されたコンタクト保護部材３００上、特に梁部３０３の上を通って最終位置まで挿入され、コンタクト２３がコンタクト部７１Ｂに接触される。
【００７３】
第２のメモリーカード２０を引き抜くときも、第２のメモリーカード２０は、倒されたコンタクト保護部材３００上を通って引き抜かれる。
【００７４】
よって、第２のメモリーカード２０の装着及び抜去は、コンタクト部６１Ｂの上側を覆っている梁部３０３の存在によって、第１のコンタクト部材６０Ｂのコンタクト部６１Ｂと干渉しない状態で行われる。
【図面の簡単な説明】
【００７５】
【図１】従来の１例の複合メモリーカード用コネクタ装置を示す図である。
【図２】図１の複合メモリーカード用コネクタ装置に第１のメモリーカード或いは第２のメモリーカードが装着された状態を示す図である。
【図３】第１のメモリーカード及び第２のメモリーカードを並べて示す図である。
【図４】第１のメモリーカード及び第２のメモリーカードを並べて示す図である。
【図５】本発明の実施例１である複合メモリーカード用コネクタ装置を第１、第２のメモリーカードと併せて示す図である。
【図６】本発明の実施例１である複合メモリーカード用コネクタ装置を示す図である。
【図７】第１のメモリーカード用コンタクトを示す図である。
【図８】コンタクト保護部材を示す図である。
【図９】メモリーカード識別部材を示す図である。
【図１０】第１のメモリーカードが装着された状態を示す図である。
【図１１】第１のメモリーカードが装着された状態を側方から見て示す図である。
【図１２】第２のメモリーカードが挿入された初期の状態を示す図である。
【図１３】第２のメモリーカードが挿入された初期の状態を第２のメモリーカードを省略して示す図である。
【図１４】第２のメモリーカードが装着された状態を示す図である。
【図１５】第２のメモリーカードが装着された状態を第２のメモリーカードを省略して示す図である。
【図１６】第２のメモリーカードが装着された状態を側方から見て示す図である。
【図１７】本発明の実施例２である複合メモリーカード用コネクタ装置を第１、第２のメモリーカードと併せて示す図である。
【図１８】本発明の実施例２である複合メモリーカード用コネクタ装置を分解して示す図である。
【図１９】本発明の実施例２である複合メモリーカード用コネクタ装置を示す図である。
【図２０】図１８中のメモリーカードガイド機構を拡大して示す図である。
【図２１】第１のメモリーカードが装着された状態を示す図である。
【図２２】第１のメモリーカードが装着された状態を側方から見て示す図である。
【図２３】第１のメモリーカードを挿入したときの上側ガイド機構と下側ガイド機構の動作状態を示す図である。
【図２４】第２のメモリーカードが装着された状態を示す図である。
【図２５】第２のメモリーカードが装着された状態を側方から見て示す図である。
【図２６】第２のメモリーカードを挿入したときの上側ガイド機構と下側ガイド機構の動作状態を示す図である。
【図２７】本発明の実施例３である複合メモリーカード用コネクタ装置を分解して且つ第１、第２のメモリーカードと併せて示す図である。
【図２８】コンタクト保護部材及びこの周囲の部分を拡大して示す図である。
【図２９】第１のメモリーカードが装着された状態を側方から見て示す図である。
【図３０】第２のメモリーカードが装着された状態を側方から見て示す図である。
【符号の説明】
【００７６】
１０  第１のメモリーカード
１３  コンタクト
２０  第２のメモリーカード
２３  コンタクト
５０、５０Ａ，５０Ｂ  複合メモリーカード用コネクタ装置
５１、５１Ａ，５１Ｂ  ハウジング
５２、５２Ａ，５２Ｂ  メモリーカード挿入口
６０、６０Ａ，６０Ｂ  第１のメモリーカード用コンタクト
６１、６１Ａ，６１Ｂ  コンタクト部
６２  突起片
７０、７０Ａ，７０Ｂ  第２のメモリーカード用コンタクト
７１、７１Ａ，７１Ｂ  コンタクト部
８０  スライド部材
９０  コンタクト保護部材
９３  開口
９４  桟
９５  カム
１００  メモリーカード識別部材
２００  メモリーカードガイド機構
２１０  下側ガイド機構
２１１、２２１  第１のガイド板
２１２、２２２  第２のガイド板
２２０  上側ガイド機構
２３０  メモリーカード識別部材
３００  コンタクト保護部材
【図１】
2006092846.tif 000003
【図２】
2006092846.tif 000004
【図３】
2006092846.tif 000005
【図４】
2006092846.tif 000006
【図５】
2006092846.tif 000007
【図６】
2006092846.tif 000008
【図７】
2006092846.tif 000009
【図８】
2006092846.tif 000010
【図９】
2006092846.tif 000011
【図１０】
2006092846.tif 000012
【図１１】
2006092846.tif 000013
【図１２】
2006092846.tif 000014
【図１３】
2006092846.tif 000015
【図１４】
2006092846.tif 000016
【図１５】
2006092846.tif 000017
【図１６】
2006092846.tif 000018
【図１７】
2006092846.tif 000019
【図１８】
2006092846.tif 000020
【図１９】
2006092846.tif 000021
【図２０】
2006092846.tif 000022
【図２１】
2006092846.tif 000023
【図２２】
2006092846.tif 000024
【図２３】
2006092846.tif 000025
【図２４】
2006092846.tif 000026
【図２５】
2006092846.tif 000027
【図２６】
2006092846.tif 000028
【図２７】
2006092846.tif 000029
【図２８】
2006092846.tif 000030
【図２９】
2006092846.tif 000031
【図３０】
2006092846.tif 000032